(57)【要約】      （修正有）【課題】首掛け部と使用者の首後部の接触部分に冷感を生じさせることが出来る首掛け式送風装置を提供する。【解決手段】首掛け式送風装置であって、湾曲したハウジングの各々の端部に配設された送風部である第１及び第２のファン１４と、ハウジングの内側中心点を含む領域、内側中心点を挟む領域、又は内側中心点を取り囲む領域、の少なくとも１つで、ハウジングの内側の外周面の一部を構成する冷却モジュール３と、第１及び第２のファン１４及び冷却モジュール３を操作するための操作部１７と、操作部１７による操作に基づいて第１及び第２のファン１４及び冷却モジュール３を制御する制御部１９と、を有し、制御部１９が、第１及び第２のファン１４の回転数と冷却モジュール３の温度を調整する。【選択図】図１
0003230942.tif 000002
【実用新案登録請求の範囲】
【請求項１】
首掛け式送風装置であって、
湾曲したハウジングの各々の端部に配設された送風部である第１及び第２のファンと、
前記ハウジングの内側中心点を含む領域、前記内側中心点を挟む領域、又は前記内側中心点を取り囲む領域、の少なくとも１つで、前記ハウジングの内側の外周面の一部を構成する冷却モジュールと、
前記第１及び第２のファン及び前記冷却モジュールを操作するための操作部と、
前記操作部による操作に基づいて前記第１及び第２のファン及び前記冷却モジュールを制御する制御部と、
を有し、
前記制御部が、前記第１及び第２のファンの回転数と前記冷却モジュールの温度を調整することを特徴とする首掛け式送風装置。
【請求項２】
請求項１に記載の首掛け式送風装置であって、
前記制御部に接続された半導体チリングプレートが前記ハウジング内に配設されており、前記半導体チリングプレートは一方の面で前記冷却モジュールに向かい合っておりまた他方の面で排熱部に向かい合っていることを特徴とする首掛け式送風装置。
【請求項３】
請求項２に記載の首掛け式送風装置であって、
前記半導体チリングプレートは前記冷却モジュール又は前記排熱部の少なくとも一方に当接していることを特徴とする首掛け式送風装置。
【請求項４】
請求項２又は３に記載の首掛け式送風装置であって、
前記排熱部がヒートシンクであり、前記ヒートシンクは、前記半導体チリングプレートに向かい合う前記ヒートシンクの面とは反対側の面上に、複数の冷却フィン又は棒状突起部を有していることを特徴とする首掛け式送風装置。
【請求項５】
請求項４に記載の首掛け式送風装置であって、
前記ハウジング内に第３のファンが配設されており、前記第３のファンからの送風が前記冷却フィン又は棒状突起部に当たることを特徴とする首掛け式送風装置。
【請求項６】
請求項２から５の何れか１項に記載の首掛け式送風装置であって、
前記半導体チリングプレートは、５Ｖの電圧及び１Ａの電流以下の電力で作動することを特徴とする首掛け式送風装置。
【請求項７】
請求項１から６の何れか１項に記載の首掛け式送風装置であって、
前記制御部が、前記冷却モジュールの温度及び前記ファンの回転数を、互いに独立して又は互いに関連付けてまた連続的に又は段階的に、制御すること特徴とする首掛け式送風装置。
【請求項８】
請求項２から７の何れか１項に記載の首掛け式送風装置であって、
前記制御部が、前記操作部による操作に基づいて前記半導体チリングプレートを制御し、前記半導体チリングプレートの制御によって、前記冷却モジュールの温度を連続的に又は段階的に下げることを特徴とする首掛け式送風装置。
【請求項９】
請求項１から８の何れか１項に記載の首掛け式送風装置であって、
前記制御部が、前記冷却モジュールの温度が所定の温度まで下がった場合に、使用者への警告を出力することを特徴とする首掛け式送風装置。
【請求項１０】
請求項１から９の何れか１項に記載の首掛け式送風装置であって、
少なくとも１つのセンサを有しており、前記制御部は、当該センサによって検出された検出値に応じて、前記第１及び第２のファンの回転数及び前記冷却モジュールの温度を、所定の値に変更することを特徴とする首掛け式送風装置。
【請求項１１】
請求項１から１０の何れか１項に記載の首掛け式送風装置であって、
外部端末内に実装されている専用のアプリケーション又はプログラムからの、少なくとも前記第１及び第２のファンの回転数又は前記冷却モジュールの温度の少なくともいずれかについての制御命令を受け付ける受付部を有することを特徴とする首掛け式送風装置。
【請求項１２】
請求項１から１１の何れか１項に記載の首掛け式送風装置であって、
前記第１及び第２のファンが、前記ハウジングの各々の端部の外側の外周面に形成された開口部から外気を吸気し、吸気された外気の一部が、前記ハウジング内で前記冷却モジュールの周囲を流れるように構成されていることを特徴とする首掛け式送風装置。
【請求項１３】
請求項１から１２の何れか１項に記載の首掛け式送風装置であって、
前記ハウジング内に配設されているバッテリー又は前記ハウジング外に存在する外部バッテリーの少なくともいずれかが、少なくとも前記第１及び第２のファン及び前記冷却モジュールへの給電を行うことを特徴とする首掛け式送風装置。
【請求項１４】
請求項１３に記載の首掛け式送風装置であって、
前記第１及び第２のファンが、前記ハウジングの各々の端部の外側の外周面に形成された開口部から外気を吸気し、吸気された外気の一部が前記ハウジング内で、前記ハウジング内に配設されているバッテリーの周囲を流れるように構成されていることを特徴とする首掛け式送風装置。
【請求項１５】
請求項１４に記載の首掛け式送風装置であって、
前記装置が、前記ハウジング内に配設されているバッテリーと前記ハウジング外に存在する前記外部バッテリーとの間で、少なくとも前記第１及び第２のファン及び前記冷却モジュールへの給電接続を切り換えるための切り換え部を有していることを特徴とする首掛け式送風装置。
【考案の詳細な説明】
【技術分野】
【０００１】
本考案は、首掛け式送風装置に関する。
【背景技術】
【０００２】
本技術分野の背景技術として、実用新案登録第３２２５６６２号公報（特許文献１）がある。この公報には、円弧形状の首掛け部と、首掛け部の各々の端部に備えられたファン部からなる首掛けファンが記載されており、首掛け部は、首掛け基部と、首掛け基部に設けられた首掛け部の長さを調節するための調節バンドと、調節バンドを収納する収納部と、からなり、ファン部は、ファン取付け基台を備え、ファン取付け基台は収納部にピンを使用して回動自在に係止され、ファン取付け基台は、Ｕ形状のファン本体取付け部材を備え、ファン本体取付け部材が備える各々の端部の略中央、及びファン本体の直径の両端の各々に、ピンの嵌通孔を設け、嵌通孔にピンを用いて回動自在に取り付けられている（要約参照）。
【先行技術文献】
【特許文献】
【０００３】
【特許文献１】実用新案登録第３２２５６６２号公報
【考案の概要】
【考案が解決しようとする課題】
【０００４】
前記特許文献１には、首掛けファンは、首掛け部が伸縮し、大人から子供まで、使用できるうえに、風向を自由に変更でき、また、風量を大きくして使用者が十分な冷却効果が得られる構造が記載されている。しかしながら、従来の首掛けファンはその構造上、首掛け部が直接接触する使用者の首後部には、ファンによる送風が直接作用することは出来ず、送風による冷却効果が高くないという問題があった。更に、従来の首掛けファンにおいては、首掛け部が断続的又は継続的に使用者の首後部に接触することにより首掛け部の温度は使用者の首後部の温度と平衡状態となり冷感を得ることが出来ない、という問題があった。前記特許文献１においては、これらの問題について検討がなされていない。
首掛けファンは、
【課題を解決するための手段】
【０００５】
上記課題を解決するために、例えば実用新案登録請求の範囲に記載の構成を採用する。
本願は上記課題を解決する手段を複数含んでいるが、その一例を挙げるならば、首掛け式送風装置であって、湾曲したハウジングの各々の端部に配設された送風部である第１及び第２のファンと、前記ハウジングの内側中心点を含む領域、前記内側中心点を挟む領域、又は前記内側中心点を取り囲む領域、の少なくとも１つで、前記ハウジングの内側の外周面の一部を構成する冷却モジュールと、前記第１及び第２のファン及び前記冷却モジュールを操作するための操作部と、前記操作部による操作に基づいて前記第１及び第２のファン及び前記冷却モジュールを制御する制御部と、を有し、前記制御部が、前記第１及び第２のファンの回転数と前記冷却モジュールの温度を調整することを特徴とする。
【考案の効果】
【０００６】
本考案によれば、首掛け式送風装置と使用者の接触部分においても確実な冷却作用を提供することができる。
上記した以外の課題、構成及び効果は、以下の実施形態の説明により明らかにされる。
【図面の簡単な説明】
【０００７】
【図１】本考案の１つの実施例の分解構造図の例である。
【図２】本考案の１つの実施例の正面図の例である。
【図３】本考案の図１に従う実施例の背面図の例である。
【図４】本考案の図１に従う実施例の右側面図の例である。
【図５】本考案の図１に従う実施例の左側面図の例である。
【図６】本考案の図１に従う実施例を上方から見た図の例である。
【図７】本考案の図１に従う実施例を下方から見た図の例である。
【図８】本考案の図１に従う実施例における操作部の例である。
【考案を実施するための形態】
【０００８】
以下、具体的な実施例について図面を用いて説明する。
【実施例１】
【０００９】
図１は本考案の１つの実施例を示す分解構造図の例である。
【００１０】
首掛け式送風装置は、湾曲したハウジング、特には略Ｕ字形状のハウジングを有しており、当該ハウジングの外周面は、図１に従う実施例においては、複数の構成要素、例えば、トップカバー２、冷却モジュール３、低温サポート４、接続ホース７、換気カバー８、９、ブレードカバー１０、トラックサポート換気部１１等によって、構成されている。
【００１１】
本明細書では、使用者と向かい合う側（使用者に面する側）のハウジングの外周面を内側の外周面と称し、また、使用者から離背する側（使用者に面していない側）のハウジングの外周面を外側の外周面と称する。冷却モジュール３は、ハウジングの内側の外周面の中心点を含む領域、又は、前記内側中心点を挟む或いは取り囲む領域に、配設されている。「外周面の中心点を含む領域」は、有利には、図１から見て取れるように、外周面の中心点を中心に左右対称に拡がっている。
【００１２】
「内側中心点を挟む領域」としては、例えば複数の部分領域が内側中心点を中心に分布して配置された領域であって、例えば２つの部分領域が並んでおり、それらの間に内側中心点が存在するようなものとして理解される。「内側中心点を取り囲む領域」としては、例えば、ドーナツ状の形状で拡がる領域が理解され、その場合、当該領域の穴の部分に内側中心点が存在する。
【００１３】
ハウジングの内側及び外側の外周面には、通風用或いは放熱用に複数の開口部が設けられている。それらの開口部は、ハウジングの強度や使用時の安全性を損なわない限りにおいて、適宜任意に設計可能である。
【００１４】
図２から図７に図示されているように、本装置のハウジングの外周面は、基本的に連続した曲面で形成されている。特に本装置とその使用者の間に痛みを伴う接触が生じないように人間工学的な観点を取り入れた設計がなされていることに加え、本装置のハウジング中央部分に配置された冷却モジュール３は、本装置の使用時、例えば歩行時等の移動時であっても、使用者の首後部との良好な接触状態を維持することが出来るように、その大きさや形状が設計されている。
【００１５】
図１に従う実施例においては、ハウジング内に、ヒートシンク１、バッテリー１３、少なくとも２つのファン１４、冷却ファン１５、半導体チリングプレート１６、操作部（ボタン）１７、ボタンサポート１８、制御部（以下「動作基板」とも称する）１９等が配設されている。
バッテリー１３、ファン１４、冷却ファン１５、半導体チリングプレート１６、操作部１７及び動作基板１９は、直接又は間接的に互い電気的に接続されている。
【００１６】
図１において操作部としては、ボタン１７のみが図示されているが、それに加えて又は代替的に、操作ノブ或いは操作レバーが設けられていてもよい。ボタンの押圧時間の長さや操作ノブ或いは操作レバーの操作量に応じて、後述するファンの回転数や冷却モジュールの温度を連続的に調整することも可能である。また、首掛け式送風装置のハウジングを構成する構成要素、及び、ハウジング内に配設される構成要素は、実施形態に応じて、適宜追加及び変更、更に統合及び分離を行うことが出来る。
【００１７】
図１に図示されている個々の構成要素について、以下に具体的に説明する。
本装置のハウジング中央部分の内側及び／又は外側の外周面は、トップカバー２、冷却モジュール３、及び、低温サポート４から形成されている。
【００１８】
図１から見て取れるように、本装置のハウジング中央部分内には、半導体チリングプレート１６が排熱部であるヒートシンク１と冷却モジュール３に挟まれた状態で設けられている。言い換えれば、半導体チリングプレート１６は、半導体チリングプレート１６の一方の面が冷却モジュール３と向かい合っており、また、半導体チリングプレート１６の他方の面がヒートシンク１と向かい合っているように、設けられている。半導体チリングプレート１６はヒートシンク１及び／又は冷却モジュール３と当接していてもよく、半導体チリングプレート１６がヒートシンク１及び／又は冷却モジュール３に当接していることにより、直接的な熱的接触が獲得される。
【００１９】
ハウジング中央部分内に配設されたヒートシンク１は、排熱部として機能する構成要素であり、例えばアルミニウム、鉄、銅などの良好な伝熱特性を有する金属材料から構成されている。ヒートシンク１は一方の面で半導体チリングプレート１６に当接しており、他方の面上には、半導体チリングプレート１６から吸収した熱を排熱するための表面積増大部として、複数の冷却フィン又は棒状突起部等を有している。
【００２０】
トップカバー２は線状、点状、波状等に形成された複数の小さい穴から構成された開口部を有しており、それらの開口部はトップカバー２に取り付けられた第３のファン１５による外気の効率的な吸排気を可能とし、第３のファン１５により吸気された外気の送風は、ヒートシンク１の表面積増大部に当たって作用し、ヒートシンク１の熱交換を支援する。また、トップカバー２は更に、ねじ等の固定部材用の穴部を有しており、固定部材による固定後、当該穴部には更にシリカゲルプラグが差し込まれる。
【００２１】
冷却モジュール３は、例えばアルミニウム、鉄、銅などの良好な伝熱特性を有する金属材料や例えばチタンやサージカルステンレスなどのアレルギー症状が起こり難い金属材料等から構成されている。また、冷却モジュール３はその接触が使用者の肌に対して負担とならないように十分に滑らかな接触表面を有している。
【００２２】
低温サポート４は、冷却モジュール３の保持部材であり、その形状や素材に関しては、冷却モジュール３の繰り返しの温度変化に対して十分な安定性を長期間に渡って維持することが出来るように設計されている。
【００２３】
トップカバー２、冷却モジュール３、及び、低温サポート４から形成される本装置のハウジング中央部分は、接続ホース７及び少なくとも部分的にその内部に配置されるブラケット接続部５、６から構成されるハウジング接続部によって、左右のハウジング端部部分と接続される。ハウジング接続部を有する構成により、本装置全体を簡潔に組み立てることが可能となり、また、ブラケット接続部５、６に導電部を一体化させることにより、ハウジング中央部分及び左右のハウジング端部部分を別々の製造ラインで個別にまとめて予形成した後に、本装置を製造することも可能である。
【００２４】
本装置の左右のハウジング端部部分の外周面は、換気カバー８、９、ブレードカバー１０、トラックサポート換気部１１から形成されている。両方のハウジング端部部分内にはそれぞれバッテリー１３及び第１及び第２のファン１４が組み込まれている。
【００２５】
例えばリチウムイオンバッテリーであるこのバッテリー１３は、第１から第３のファン１４、１５及び半導体チリングプレート１６への給電を担う。なお、ファン１４への給電を担うバッテリー１３と半導体チリングプレート１６への給電を担うバッテリー１３は、同一であっても、異なっていてもよい。
【００２６】
更には、図１の実施例では左右のハウジング端部部分内にはバッテリー１３が組み込まれているが、バッテリー１３は片方のハウジング端部部分内のみに組み込まれていてもよい。また、左右のハウジング端部部分内に組み込まれた第１及び第２のファン１４はそれぞれ、換気カバー８、９によって、それらの内部で回転可能に支持されている。換気カバー８はハウジングの外側の外周面を形成しており、その端部には外気を取り込むための開口部が形成されている。また、この開口部から間隔をおいて覆うように取り付けられたブレードカバー１０は、髪や衣服等が開口部からハウジング内へ入り込むことを防止する。
【００２７】
換気カバー９は、換気カバー８の開口部から流入した外気を再度ハウジング外へと流出させるための開口部と、それに加えバッテリー１３の放熱を促すための別の開口部を有している。
【００２８】
トラックサポート換気部１１は、例えば、かぎ状の突起部を介して換気カバー９に固定されて、換気カバー９と共にハウジング端部部分の内側の外周面を形成する。換気カバー９と同様に、トラックサポート換気部１１も、換気カバー８の開口部から流入した外気を再度ハウジング外へと流出させるための開口部を有している。
【００２９】
換気カバー８、換気カバー９及びトラックサポート換気部１１に形成された開口部は、それぞれ、線状、点状、波状等に形成された複数の小さい穴から構成されている。それらの穴の形状や配置は、適宜設計可能であり、特にはハウジング内への外気の吸引効率、ハウジング外への外気の拡散効率や拡散方向、外気の吸排気時の静音化等について考慮されて設計される。
【００３０】
更に、換気カバー８、９は、換気カバー８の開口部から流入する外気の一部が換気カバー９の開口部から流出せずハウジング端部部分内に組み込まれたバッテリー１３の周囲を流れるように、形成されていてもよい。バッテリー１３の周囲へ導かれた外気は、バッテリー１３の放熱を促すための別の開口部からハウジング外へ流出してもよいし、更に、ハウジング内を流れトップカバー２に形成された開口部からハウジング外へ流出してもよい。
【００３１】
左右のハウジング端部部分のうち何れか一方は更に、操作部として、使用時によって操作可能なボタン１７を有している。ボタン１７はハウジング端部部分内でボタンサポート１８によって支持されており、また、第１から第３のファンのオンオフ及び回転数を決定するため、及び、冷却モジュールの温度調整を決定するために用いられる。ボタン１７は制御部である動作基板１９に電気的に接続されている。動作基板１９は、ボタン１７に加えて、少なくとも、バッテリー１３、第１から第３のファン１４、１５、半導体チリングプレート１６に直接又は間接的に電気的に接続されている。
【００３２】
動作基板１９は、使用者によるボタン１７の操作に応じて、ファン１４の回転数及び冷却モジュールの温度に関して予め設定された制御或いは調整を実行する。動作基板１９は、更に、使用者によるボタン１７の操作結果を、例えば図８に図示されているようなボタン１７の近傍に設けられたインジケーターに表示する。ハウジング内にはインジケーター用に複数のＬＥＤが組み込まれている。
【００３３】
第１、第２のファン１４は、これまでに知られている様々な方法で制御され、所定の回転数で回転される。ハウジング外から吸い込まれた外気は、使用者の首の左右方向から、使用者に向けて放出される。ファン１４の大きさや形状等は、特にはハウジング内への外気の吸引効率、ハウジング外への外気の拡散効率や拡散方向、外気の吸排気時の静音化等について考慮されて、換気カバー８、９の開口部の設計と関連付けて決定されてもよい。
【００３４】
本装置は、使用者の首後部と良好に接触する冷却モジュールを有している。この場合、「良好に接触する」とは、使用者が動いているような場合であっても接触状態が維持され且つ角部等による痛みを伴わないような接触を意味している。
【００３５】
また、本装置は更に、例えばペルティエ効果による吸熱効果により冷却モジュールから熱を吸収しまた同時にヒートシンクへ放熱を行う半導体チリングプレートを有している。本装置においては、５Ｖの電圧及び１Ａの電流以下の電力で作動する半導体チリングプレートが採用されている。
【００３６】
本装置においては、冷却モジュールの温度を体温よりも明らかに低い温度（例えば２６℃以下）に調整することが出来るので、使用者は、従来の首掛け式送風装置においては、構造上式冷感を得ることが不可能であった、使用者と首掛け式送風装置の接触部分において、積極的に冷感を獲得することが可能となった。それに伴い、従来の首掛け式送風装置において生じ得た、接触部位における汗ばみ等の不快感を本質的に解消することが可能となった。
【００３７】
例えば、使用者が図８の「Ｆ／Ｓ」を１秒長押しすると、動作基板１９はファン１４をОＮにし予め設定された最大の回転数での回転を開始させる、またそれに伴い強風モードを示す３つのＬＥＤ（Ｆ弱＋Ｆ中＋Ｆ強）でインジケーターを点灯させる。
その後再度「Ｆ／Ｓ」が短押しされると、動作基板１９はファン１４の回転数を一段下げ、またそれに伴い中風モードを示す２つのＬＥＤ（Ｆ弱＋Ｆ中）でインジケーターを点灯させる。またその後再度「Ｆ／Ｓ」が短押しされると、動作基板１９はファン１４の回転数を更に一段下げ、またそれに伴い弱風モードを示す１つのＬＥＤ（Ｆ弱）のみでインジケーターを点灯させる。
更に「Ｆ／Ｓ」が短押しされると、動作基板１９はファン１４をОＦＦにし、インジケーターの全てのＬＥＤを消灯する。
【００３８】
また同様に、使用者が図８の「Ｃ／Ｓ」を１秒長押しすると、動作基板１９は、冷却モジュールの温度調整を開始するため、半導体チリングプレート１６をОＮにし、弱冷却モードとして冷却モジュールの温度を２６℃まで下げるために設定された電圧を半導体チリングプレート１６へ印加させ、また同時に半導体チリングプレート１６及び冷却モジュール３の放熱を促すための第３のファンを回転させる。
【００３９】
この弱冷却モードでは動作基板１９は、インジケーターの一番下のＬＥＤを点灯させる。その後再度「Ｃ／Ｓ」が短押しされると、動作基板１９は、強冷却モードとして冷却モジュールの温度を２０℃まで下げるために設定された電圧を半導体チリングプレート１６へ印加させ、また場合によっては半導体チリングプレート１６及び冷却モジュール３の放熱を促すための第３のファンの回転数を増加させる。
【００４０】
この強冷却モードでは動作基板１９は、冷却モジュールの温度が所定の温度まで下がった場合には、過度な冷却による肌への悪影響を考慮しインジケーターの一番下のＬＥＤを点滅させ、使用者への注意喚起や警告を行う。
またその後再度「Ｃ／Ｓ」が短押しされると、動作基板１９は、一方では冷却モジュールの温度調整を終了するため、半導体チリングプレート１６への給電を停止するものの、他方ではその後約９０秒経過するまで第３のファンの駆動を継続し、冷却モジュール３及び半導体チリングプレート１６からの放熱を行う。
【００４１】
上記の実施例ではファン１４の回転数及び冷却モジュール３の温度は、段階的に制御されるが、操作部として例えば回転式の操作ノブ或いはスライド式の操作レバーを有する別の実施例においては、動作基板１９はファン１４の回転数及び冷却モジュール３の温度を、操作ノブ或いは操作レバーからの入力に基づいて、連続的に制御することも出来る。有利には動作基板１９は、冷却モジュールの温度及びファンの回転数を、互いに独立して又は互いに関連付けてまた連続的に又は段階的に、制御出来る。例えば、動作基板１９は、操作ノブ或いは操作レバー等の操作部による操作に基づいて、半導体チリングプレートを制御することによって、冷却モジュールの温度を連続的に又は段階的に下げる
【００４２】
また更に別の実施例においては、使用者の操作により一度設定されたファン１４の回転数や冷却モジュール３の温度は時間に渡って一定であってもよいし任意のパターンで変化してもよい。動作基板１９は更に、ファン１４の回転数及び冷却モジュール３の温度を互いに独立して又は互いに関連付けて（連動して、同期して）制御することも出来る。
【００４３】
本装置は更に、気温、湿度、速度、加速度等を検出する少なくとも１つのセンサを有していてもよい。本装置の動作基板１９は、当該センサによって検出された検出値に応じて、例えば各モードに対して予め設定された所定のファンの回転数及び冷却モジュールの温度を、変更することも出来る。
本装置が例えば外気温を検出するセンサを有している場合、動作基板１９は、センサによって検出された外気温に応じて、各モードに対して設定されたファンの回転数及び冷却モジュールの温度を、変更することも出来る。また、そのような外気温に応じた制御を適用するかどうかは、使用者自身が選択することも可能である。
【００４４】
本装置は、ハウジング内に設けられたバッテリー１３に加え、任意の例えばポータブル充電器のような外部バッテリーと接続して、少なくとも第１及び第２のファン及び冷却モジュールへの給電を行うことも可能である。外部バッテリーを用いることで、より過酷な環境下においても、本装置の継続的な利用が可能となる。第１及び第２のファン１４によりハウジングの各々の端部の外側の外周面、即ち換気カバー８に形成された開口部から吸気された外気は、その一部がハウジング内で、ハウジング内に配設されているバッテリー１３及び／又は冷却モジュール３の周囲を流れるように構成されていると有利である。
【００４５】
本装置は、ハウジング内に配設されているバッテリー１３と外部のバッテリーの間で、少なくとも第１及び第２のファン及び冷却モジュールへの給電接続を切り換えるための、切り換え部を有していると有利である。外部のバッテリー用の接続部は、バッテリー１３の充電用の接続部と共用であってもよいし、異なる接続部であってもよい。またそれらの規格についても同一であっても異なっていてもよい。更に、インジケーターは、バッテリー１３の充電量を表す更なるＬＥＤを有していてもよいし、或いは、例えば既に存在するＬＥＤの色によって充電量を表すことも可能である。
【００４６】
本装置は更に外部端末内に実装されている専用のアプリケーション又はプログラムからの、少なくとも第１及び第２のファンの回転数及び／又は冷却モジュールの温度についての制御命令を受け付ける受付部を有している。
例えば本装置は、本装置の使用者が所有する外部端末と、通信接続部を介して有線及び／又は無線で接続され得て、受付部によって受け付けられた外部端末内に実装されている専用のアプリケーション又はプログラムからの制御命令に従い、前記第１及び第２のファンの回転数と前記冷却モジュールの温度は、前記制御部と共に又は独立して、制御され得る。
【００４７】
その場合、外部端末は少なくとも部分的に、例えば第１及び第２のファンの回転数や冷却モジュールの温度を調整する、動作基板１９の機能を担う。外部端末との協働により、本装置の動作基板１９に対して必要以上の製造コストを要することなく、本装置のより精密且つ多彩な制御或いはより演算負荷の高い制御を実行することが可能となる。
【００４８】
そのような実施例の長所は、製品に対して新たに物理的な構造変更を加えることなく、より高性能な製品を提供出来ることであり、製造者や販売者は例えばアプリケーション内での新たに追加された拡張機能を個別に販売することが可能である。有利にはアプリケーション又はプログラムは、少なくとも部分的に制御部の機能及び／又は拡張機能を担い、制御部の機能とは例えば第１及び第２のファンの回転数や冷却モジュールの温度を調整する機能である。
【００４９】
また、拡張機能とは、例えば本装置が製品として発売された後に新たに開発され、アプリケーション又はプログラムにより追加的に実行可能な機能である。また、使用者は自身に必要な機能のみを購入することも可能である。これにより、製品のリニューアルに伴う頻繁な買い替えが控えられる一方で、１つの製品自体の寿命（使用期間）が伸ばされまたその販売後の収益の機会が増えることが期待できる。
【００５０】
なお、本考案は上記した実施例に限定されるものではなく、様々な変形例が含まれる。例えば、上記した実施例は本考案を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。なお、上述の実施例は少なくとも実用新案登録の範囲に記載の構成を開示している。
【符号の説明】
【００５１】
１…ヒートシンク、２…トップカバー、３…冷却モジュール、４…低温サポート、５…ブラケット接続、６…ブラケット接続、７…接続ホース、８…換気カバー、９…換気カバー、１０…ブレードカバー、１１…トラックサポート換気部、１２…シリカゲルプラグ、１３…リチウムイオンバッテリー、１４…第１及び第２のファン、１５…第３のファン、１６…半導体チリングプレート、１７…ボタン（操作部）、１８…ボタンサポート、１９…動作基板（制御部）
【図１】
0003230942.tif 000003
【図２】
0003230942.tif 000004
【図３】
0003230942.tif 000005
【図４】
0003230942.tif 000006
【図５】
0003230942.tif 000007
【図６】
0003230942.tif 000008
【図７】
0003230942.tif 000009
【図８】
0003230942.tif 000010
【手続補正書】
【提出日】令和2年12月23日(2020.12.23)
【手続補正１】
【補正対象書類名】実用新案登録請求の範囲
【補正対象項目名】請求項８
【補正方法】変更
【補正の内容】
【請求項８】
請求項２から６、及び、請求項２を直接又は間接的に引用する請求項７、の何れか１項に記載の首掛け式送風装置であって、
前記制御部が、前記操作部による操作に基づいて前記半導体チリングプレートを制御し、前記半導体チリングプレートの制御によって、前記冷却モジュールの温度を連続的に又は段階的に下げることを特徴とする首掛け式送風装置。